(57)【要約】【課題】地上波デジタル放送で、ユーザが全チャネルの現在の番組や当日の番組情報などの送信周期が短い番組の最新情報を知りたい場合に、番組情報を短時間で、かつ、分り易い操作で取得できるようにしたデジタル放送受信装置を提供する。【解決手段】デジタル放送受信装置１は、ユーザに提示するＥＰＧ取得設定メニューとして、ユーザが番組情報の取得条件の設定を行うＥＰＧ取得設定画面をモニタ３に表示する。ＥＰＧ取得設定画面でのユーザの選択肢として、１チャネルあたりの取得時間を指定する「時間設定」、または、番組の種類を指定する「番組種類設定」を選択できるように表示する。ユーザが、「時間設定」、あるいは、「番組種類設定」を選択すると、ＥＰＧデータ取得画面を表示して、指定された所得時間、あるいは、指定された番組の種類により受信可能な全てのチャネルの番組情報を取得する。【選択図】        図３
2004336649.tif 000002
【特許請求の範囲】
【請求項１】
情報量の異なる複数の付属情報が各情報量に応じて決められた送信周期で送信される放送チャネルから所望の情報量の付属情報を取得できる受信装置において、該受信装置は、前記付属情報を取得する取得条件をユーザが指定できる取得条件指定手段と、前記取得条件指定手段により指定された取得条件により前記付属情報を取得する付属情報取得手段とを有し、前記指定された取得条件に対応して付属情報を全放送チャネルについて取得することを特徴とする受信装置。
【請求項２】
前記付属情報は、番組情報であることを特徴とする請求項１に記載の受信装置。
【請求項３】
前記取得条件指定手段により指定される取得条件は、電子番組ガイドとして表示する番組の予定期間であり、前記受信装置は、前記取得条件指定手段により指定された予定期間に対応する番組情報を全放送チャネルについて取得することを特徴とする請求項２に記載の受信装置。
【請求項４】
前記取得条件指定手段により指定される取得条件は、１つの放送チャネルから前記付属情報を取得するための取得時間であり、前記受信装置は、前記取得条件指定手段により指定された取得時間に取得可能な前記情報量の付属情報を全放送チャネルについて取得することを特徴とする請求項１または２に記載の受信装置。
【請求項５】
前記受信装置は、前記番組情報の送信周期の時間が経過する前に、該番組情報の取得が完了した場合、直ちに次の放送チャネルの番組情報の取得を開始することを特徴とする請求項３に記載の受信装置。
【請求項６】
前記取得条件指定手段は、前記取得条件が時間である時に、予め定められた時間毎の取得可能な情報量を表示することを特徴とする請求項４に記載の受信装置。
【発明の詳細な説明】
【０００１】
【発明の属する技術分野】
本発明は、受信装置に関し、より詳細には、映像データおよび音声データに付属する放送に関する付属情報、例えば、番組情報を受信して電子番組ガイドを表示する際に、ユーザが指定した取得条件に応じて、全チャネルの番組情報を短時間に取得できる地上波デジタル放送受信装置に関する。
【０００２】
【従来の技術】
近年、国内では、ＢＳ（Ｂｒｏａｄｃａｓｔｉｎｇ  Ｓａｔｅｌｌｉｔｅ）デジタル放送が開始され、今後、地上波デジタル放送等が計画されており、これらに対応した受信装置が種々提案されている。これらのデジタル放送では、映像データおよび音声データ、さらに、それらのデータに付属する放送に関する付属情報、例えば、番組情報といったデータが送信される。これらのデータは、それぞれ異なったＰＩＤ（パケット識別子）により識別されるパケット単位で構成され、さらに、これらのパケットは、ＩＳＯ／ＩＥＣ１３８１８−１で規定されているトランスポートストリームとしてまとめられて送信される。
【０００３】
従来技術によるデジタル放送受信装置では、番組の題名、開始時刻と終了時刻、番組概要、出演者といった番組情報（付属情報）を利用して、電子番組ガイド（ＥＰＧ（Ｅｌｅｃｔｒｏｎｉｃ  Ｐｒｏｇｒａｍ  Ｇｕｉｄｅ））を表示するために、トランスポートストリーム内のＳＩ（Ｓｅｒｖｉｃｅ  Ｉｎｆｏｒｍａｔｉｏｎ）に含まれるＥＩＴ（Ｅｖｅｎｔ  Ｉｎｆｏｒｍａｔｉｏｎ  Ｔａｂｌｅ）などを取得する。ＢＳ／ＣＳ（Ｃｏｍｍｕｎｉｃａｔｉｏｎ  Ｓａｔｅｌｌｉｔｅ）用デジタル放送受信装置では、視聴しているチャネルを選局しているだけで、他のチャネルの番組情報を取得することができるが、地上波デジタル放送では、各チャネルの番組情報は、チャネル毎に選局して取得しなければならないため、番組を視聴中でも、まだ番組情報などのデータが取得できていない場合や、最新の番組情報を知りたい場合は、各チャネルを選局して、チャネル毎に番組情報を取得しなければならない。
【０００４】
放送情報を取得できる受信装置として、特開平１１−２３４０９２号公報（ディジタル放送受信機）に記載されているように、チャネルサーチ時に、ＲＦ設定（放送波を受信するためにＲＦ部に周波数を設定）、同期設定、および、放送情報等の情報取得を行なうディジタル放送受信機において、比較的時間のかからないＲＦ設定は全周波数について行ない、比較的時間のかかる同期設定、および、情報取得を放送波の存在する周波数についてのみ行なうことにより、全チャネルサーチ時間を短縮するようにしたものがある（例えば、特許文献１参照）。
【０００５】
【特許文献１】
特開平１１−２３４０９２号公報（第３、４頁、第４図）
【０００６】
上述した番組情報や放送情報の付属情報は、情報量に応じて異なる送信周期で送信され、それらの送信周期に関する周期情報も、前記付属情報とは別の情報として周期的に送信される。この周期情報は、番組情報の情報量に対応する送信周期を示す情報、例えば、８日分の番組情報は６０秒周期で、２日分の番組情報は１０秒周期で送信されることを表す情報である。従来技術の受信装置では、番組情報を取得する際、各チャネル毎にその送信周期に対応する時間をかけて取得していた。例えば、８日分の番組情報を見たい場合、その送信周期は、前記の例によれば、６０秒であるから、全チャネルについて８日分の番組を得るには、１チャネルについて６０秒の取得時間を設定していたため、６０秒×チャネル数秒の時間を要していた。尚、２日分の番組では、前記の例では、１０秒×チャネル数秒になる。
【０００７】
【発明が解決しようとする課題】
しかしながら、上述した従来技術の受信装置は、全チャネルについて、取得したい番組情報に対応する送信周期を設定していたため、番組情報の取得が完了しても、各チャネルについて設定した時間が経過するまで、次のチャネルの番組の取得を開始せず、そのため、無駄な待ち時間が発生し、全チャネルの付属情報を取得するのに、かなりの時間がかかり、ユーザは、その間待ちつづけなければならず、特に、情報量の多い、換言すれば、送信周期の長い付属情報の場合は、より長い時間待ちつづけなければならなかった。
【０００８】
また、ユーザに番組情報を取得するための取得時間を指定できるようにした場合、指定された取得時間が、ユーザが見たい番組の送信周期より短いと、ユーザが見たい番組情報が、その取得時間内に送信されてこない可能性があり、つまり、ユーザが見たい番組情報が取得できない可能性があり、指定した取得時間で、ユーザが見たい番組情報が取得できるか否かがユーザにわかりにくいという問題も有している。
【０００９】
本発明は、上述のごとき状況に鑑みてなされたもので、地上波デジタル放送のチャネルから番組情報を取得して電子番組ガイドを表示する受信装置において、ユーザが見たい番組の期間（例えば、２日分の番組）、あるいは、見たい期間分の番組情報を取得するための取得時間を、ユーザが指定できるようにし、１つのチャネルの番組情報を取得した後は、直ちに、次のチャネルの番組情報を取得するためにチャネルを切り替えるようにすることにより、番組情報取得時の無駄な待ち時間を無くし、全チャネルの最新の番組情報を短時間に取得できる受信装置を提供することを目的とする。
【００１０】
【課題を解決するための手段】
本発明は、情報量の異なる複数の付属情報が各情報量に応じて決められた送信周期で送信される放送チャネルから所望の情報量の付属情報を取得できる受信装置において、該受信装置は、前記付属情報を取得する取得条件をユーザが指定できる取得条件指定手段と、前記取得条件指定手段により指定された取得条件により前記付属情報を取得する付属情報取得手段とを有し、前記指定された取得条件に対応して付属情報を全放送チャネルについて取得することを特徴とするもので、例えば、複数の放送チャネルを受信可能なデジタル放送受信装置において、前記放送チャネルから放送に関する情報を取得するチャネル情報取得手段と、該情報の取得条件をユーザが指定する手段とを有し、ユーザの指定した取得条件により各チャネルの前記情報を取得し、ユーザに提供するようにしたものである。
【００１１】
また、前記放送チャネルの放送に関する情報は、番組情報であることを特徴とする。
【００１２】
また、前記取得条件指定手段により指定される取得条件は、電子番組ガイドとして表示する番組の予定期間であり、前記受信装置は、前記取得条件指定手段により指定された予定期間に対応する番組情報を全放送チャネルについて取得することを特徴とするもので、例えば、ユーザが指定する番組情報を送信周期別に選択できるようにしたものである。
【００１３】
また、前記取得条件指定手段により指定される取得条件は、１つの放送チャネルから前記付属情報を取得するための取得時間であり、前記受信装置は、前記取得条件指定手段により指定された取得時間に取得可能な前記情報量の付属情報を全放送チャネルについて取得することを特徴とするもので、例えば、チャネル当たりの番組情報取得時間をユーザにより指定できるようにしたものである。
【００１４】
また、前記受信装置は、前記番組情報の送信周期の時間が経過する前に、該番組情報の取得が完了した場合、直ちに次の放送チャネルの番組情報の取得を開始することを特徴とするもので、例えば、チャネル毎の番組情報が、送信周期の時間が経過するよりも早く取得された場合、直ちに、次のチャネルを選局するようにしたものである。
【００１５】
また、前記取得条件指定手段は、前記取得条件が時間である時に、予め定められた時間毎の取得可能な情報量を表示することを特徴とするもので、例えば、チャネル当たりの取得時間を設定する時、どの程度の番組情報が取得できるかを自動的に表示するようにしたものである。
【００１６】
【発明の実施の形態】
図１は、本発明によるデジタル放送受信装置の一実施形態例における機能ブロック図であり、デジタル放送受信装置１の構成を示している。デジタル放送受信装置１は、地上波アンテナ２により、地上波デジタル放送を送信する放送局からの放送データおよび該放送データに付属する付属情報データ（付属情報）を受信する。ここで放送データとは、映像データおよび音声データのことであり、付属情報データとは、電子番組ガイドや番組説明を表示するのに必要な番組情報である。
【００１７】
地上波アンテナ２により受信された放送データおよび付属情報データは、地上波デジタル復調部１１に入力される。地上波デジタル復調部１１は、システム制御部１５により周波数等の情報を指示され、所望の１つのチャネルを選択し、選択したチャネルの信号を復調して、複数のパケットからなる１つのトランスポートストリーム（以下、ＴＳと略す）に変換する。システム制御部１５は、番組を選局するための情報や番組情報等のデータを取得するため、ＴＳ  ＩＤ（Ｉｄｅｎｔｉｆｉｅｒ）等のフィルタリングに必要な情報をデマルチプレクサ１２に設定し、デマルチプレクサ１２により取得された番組選局に必要な情報や番組情報等のデータをチャネル情報取得部１３に保存する。
【００１８】
また、システム制御部１５は、取得した番組選局に必要な情報を用いて、デマルチプレクサ１２にてフィルタリングを行い、フィルタリングを行なった映像データおよび音声データをＡＶ（Ａｕｄｉｏ  Ｖｉｓｕａｌ）デコーダ１４へ供給する。ＡＶデコーダ１４は、供給された映像データおよび音声データを復号し、加算器１８に供給する。また、加算器１８には、システム制御部１５により制御されたグラフィック描画表示部１６から、ＧＵＩ（Ｇｒａｐｈｉｃａｌ  Ｕｓｅｒ  Ｉｎｔｅｒｆａｃｅ）を表示するためのグラフィックスデータが供給される。加算器１８からの出力は、モニタ３へ供給され、画面表示と音により、ユーザに提示される。
【００１９】
チャネル情報取得部１３に保存された番組を選局するための情報や番組情報等のデータは、制御プログラムにより動作するシステム制御部１５で処理される。リモコン受光部１７は、リモートコントローラ４からの赤外線信号を受信し、システム制御部１５にコード変換されたリモコンコードを出力する。ユーザは、リモートコントローラ４から、所望のチャネルの選局や、デジタル放送受信装置１の設定を行う。
【００２０】
図２は、本発明によるデジタル放送受信装置の一実施形態例におけるチャネルサーチ処理を示すフローチャートであり、番組情報を取得する処理の前に行なわれる処理で、選局や番組情報を取得するために必要な情報を取得する処理である。システム制御部１５は、最初に、選局するチャネルを選択し、地上波デジタル復調部１１に指示すると（ステップＳ１）、地上波デジタル復調部１１は、指示されたチャネルを選局する（ステップＳ２）。システム制御部１５は、選局されたチャネルから選局に必要な情報（データ）が取得できたか否か確認し（ステップＳ３）、取得できていれば、取得した選局に必要な情報と共に、そのチャネルを選局可能チャネルとして、チャネル情報取得部１３に登録する（ステップＳ４）。
【００２１】
次に、番組情報の送信周期に関する情報を含むＳＩ伝送パラメータが含まれるＢＩＴ（Ｂｒｏａｄｃａｓｔｅｒ  Ｉｎｆｏｒｍａｔｉｏｎ  Ｔａｂｌｅ）が取得できたか否か確認し（ステップＳ５）、取得できた場合は、取得したＳＩ伝送パラメータを、チャネル情報取得部１３に登録する（ステップＳ６）。取得できなかった場合は、送信周期のデフォルト値を、チャネル情報取得部１３に登録する（ステップＳ８）。送信周期をチャネル情報取得部１３に登録した後、サーチするチャネルが存在するか否か確認する（ステップＳ７）。存在する場合は、ステップＳ２に戻り、次のチャネルを選局し、存在しない場合は、終了する。ステップＳ３で、選局に必要な情報が取得できない場合は、ステップＳ７に進み、サーチするチャネルが存在するか否か確認する（ステップＳ７）。
【００２２】
上述したようにチャネル情報取得部１３には、デジタル放送受信装置１が現在受信可能なチャネル、該チャネルを選局する際に必要な情報、また、受信可能なチャネルの番組情報等も登録される。現在受信可能なチャネルは、図２に示したフローチャートのようなチャネルサーチなどにより、ＶＨＦ帯やＵＨＦ帯などの全体の周波数範囲を選局することにより検出され、取得できた選局のための情報等と共に、チャネル情報取得部１３に登録しておく。
【００２３】
上述した選局する際に必要な情報は、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  ＡｓｓｏｃｉａｔｉｏｎＴａｂｌｅ）などの選局用のデータである。また、本発明に必要な情報として、番組情報などの付属情報の送信周期があり、この送信周期は、ＳＩ伝送パラメータを含むＢＩＴを取得し、そのＳＩ伝送パラメータの中にあるＥＩＴの送信周期時間から取得できる。また、ＳＩ伝送パラメータを取得できない場合に備えて、送信周期のデフォルト値を予め登録しておく。送信周期のデフォルト値として、例えば、テレビサービスの場合は、ＥＩＴの現在番組と次番組情報の送信周期は１秒、現在から約９時間分の番組は３秒、現在から約２日（約３９時間）分の番組は１０秒、そして、８日分の番組は６０秒と登録する。また、データサービスの場合は、ＥＩＴの現在番組と次番組情報の送信周期は１秒、そして、８日分の番組は６０秒と登録する。
【００２４】
図３は、本発明によるデジタル放送受信装置の一実施形態例における番組情報取得処理を示すフローチャートであり、取得条件の設定の後、番組情報の取得を行う処理である。デジタル放送受信装置１は、ユーザに提示するＥＰＧ取得設定メニューとして、ユーザが番組情報の取得条件の設定を行うＥＰＧ取得設定画面（図４）をモニタ３に表示する（ステップＳ１１）。このＥＰＧ取得設定メニューは、システム全体のメニューにおける上位階層のメニューからの選択により表示させる方法や、リモートコントローラ４から直接メニュー名を指定して表示させる方法などが考えられる。
【００２５】
ＥＰＧ取得設定画面でのユーザの選択肢として、１チャネルあたりの取得時間を指定する「時間設定」、もしくは、番組の種類（電子番組ガイドとして表示する番組の予定期間）を指定する「番組種類設定」を選択できるように表示する。なお、これらのメニューは、グラフィック描画表示部１６によって作成され、モニタ３でユーザに提示されるものであり、ユーザは、リモートコントローラ４を利用して、リモコン受光部１７を経てシステム制御部１５に命令を送ることにより、メニュー間の遷移が可能になっている。また、受信可能チャネルが無く、ＥＰＧ取得設定画面を表示できない場合は、「受信できるチャネルがありません。チャネルサーチを行いますか？」などと表示したチャネルサーチ確認画面（図９）を提示して、チャネルサーチ後再び、ＥＰＧ取得設定メニューを表示させる。
【００２６】
ユーザが、「時間設定」を選択したのか、「番組種類設定」を選択したのかを確認し（ステップＳ１２）、「時間設定」が選択された場合は、時間設定画面（図５）を表示して、ユーザに１チャネル当たりの番組情報の取得時間を入力するように指示する（ステップＳ１３）。デジタル放送受信装置１は、ユーザがリモートコントローラ４を用いて入力した取得時間を、リモコン受光部１７を経てシステム制御部１５で受信すると、ＥＰＧデータ取得画面（図７）を表示して番組情報の取得を行なう（ステップＳ１５）。「番組種類設定」が選択された場合は、番組種類設定画面（図６）を表示して、ユーザに番組の種類、例えば、“現在と次の番組か”、“約９時間後までの番組か”、“約２日後までの番組か”、あるいは、“８日後までの番組か”といった番組の種類を選択するよう指示する（ステップＳ１４）。ユーザが、番組の種類を選択すると、ＥＰＧデータ取得画面（図７）を表示して番組情報の取得を行なう（ステップＳ１５）。
【００２７】
図４は、本発明によるデジタル放送受信装置の一実施形態例におけるＥＰＧ取得設定画面の一例を示す図であり、ユーザが番組情報の取得条件の設定を行うＥＰＧ取得設定メニューを示している。図４に示したＥＰＧ取得設定画面では、ユーザに対して「全チャネルの地上波デジタル放送のＥＰＧを取得しますか？」と表示し、ユーザが、「取得時間を指定して取得する」、もしくは、「番組の種類を指定して取得する」を選択できる例を示している。
【００２８】
図５は、本発明によるデジタル放送受信装置の一実施形態例における時間設定画面の一例を示す図であり、１チャネル当たりの番組情報を取得するための取得時間を設定する画面である。図５に示した時間設定画面では、ユーザに対して「全チャネルの地上波デジタル放送のＥＰＧを取得します。取得時間を設定してください。」と表示し、ユーザは、１チャネル当たりの取得時間を秒単位で指定できる。この場合、参考のために取得時間の目安を表示しており、具体的にはチャネルサーチにより得られた受信可能なチャネル数と取得したＢＩＴまたはデフォルト値から得られた送信周期により、どの程度の時間でどの種類の番組情報が取得できるかを表示する。
【００２９】
例えば、テレビサービスの場合、ＥＩＴの現在番組と次番組情報の送信周期は１秒、現在から約９時間分の番組は３秒、現在から約２日（約３９時間）分の番組は１０秒、８日分の番組は６０秒、また、データサービスの場合、ＥＩＴの現在番組と次番組情報の送信周期は１秒、８日分の番組は６０秒で、さらに、受信可能なチャネル数が１０チャネルである場合、表示画面に、
「取得時間の目安は
１秒／１ｃｈ  ：  合計  １０秒  ：  現在番組と次の番組
６０秒／１ｃｈ  ：  合計  １０分  ：  ８日後までの番組
ＴＶサービスのＥＰＧは
３秒／１ｃｈ  ：  合計  ３０秒  ：  今から約９時間後までのＴＶ番組
１０秒／１ｃｈ  ：  合計１００秒  ：  今から約２日後までのＴＶ番組」
というように表示する。この表示方法は、他にも様々な表示方法が可能であり、ここで示した一例に限定されるものではない。
【００３０】
図６は、本発明によるデジタル放送受信装置の一実施形態例における番組種類設定画面の一例を示す図であり、ＥＰＧとして表示する番組の予定期間を区別するための番組の種類を選択する画面である。図６に示した番組種類設定画面では、ユーザに対して「全チャネルの地上波デジタル放送のＥＰＧを取得します。取得する番組を選択してください。」と表示し、ユーザは、「現在／次番組取得」、「約９時間後までの番組を取得（テレビ番組）」、「約２日後までの番組を取得（テレビ番組）」、もしくは、「８日後までの番組を取得」の４つの番組の種類から選択する。この場合も、取得時間の目安を番組の種類毎に表示しており、具体的には、チャネルサーチにより得られた受信可能なチャネル数と取得したＢＩＴまたはデフォルト値から得られた送信周期により、番組の種類とその番組の種類がどの位の時間で取得できるか表示する。
【００３１】
例えば、テレビサービスの場合、ＥＩＴの現在番組と次番組情報の送信周期は１秒、現在から約９時間分の番組は３秒、現在から約２日（約３９時間）分の番組は１０秒、８日分の番組は６０秒、また、データサービスの場合、ＥＩＴの現在番組と次番組情報の送信周期は１秒、８日分の番組は６０秒で、さらに、受信可能なチャネル数が１０チャネルである場合、画面表示は、
「現在／次番組取得                        １秒／１ｃｈ  合計１０秒
約９時間後までの番組を取得（テレビ番組）  ３秒／１ｃｈ  合計３０秒
約２日後までの番組を取得（テレビ番組）  １０秒／１ｃｈ  合計１００秒
８日後までの番組を取得                  ６０秒／１ｃｈ  合計１０分」
というように表示できる。表示方法は、他にも様々な表示方法が可能であり、ここに示した一例に限定されるものではない。
【００３２】
図７は、本発明によるデジタル放送受信装置の一実施形態例におけるＥＰＧデータ取得画面の一例を示す図であり、番組情報取得中のメニューを示している。メニューの表示方法としては、ユーザの入力した取得条件により、どの程度の番組情報が取得できるかと、番組情報の取得があとどのくらいの時間で終了するのかとを表示することにより、ユーザに現在取得できる番組情報の種類が何であるか、終了するまでの時間が残りどのくらいであるかをわかり易くする表示することができる。例えば、図７に示した例では、「およそ２日分の番組情報が取得されます。しばらくお待ちください。残り  ９９秒」と表示されており、この画面は、時間設定画面で、１チャネルあたり“１０秒”と入力され、残り時間が９９秒になった場合を示している。また、番組種類設定画面で、「約２日後までの番組を取得（テレビ番組）」が選択され、残り時間が９９秒になった場合も、同じ画面表示になる。ユーザが、「キャンセル」を選択することにより、取得途中でキャンセル可能となる。この表示方法も、多様に表示可能であり、ここでは一例を示した。
【００３３】
図８は、本発明によるデジタル放送受信装置の一実施形態例における番組情報取得処理を示すフローチャートであり、時間設定または番組種類設定が選択された場合の番組情報を取得する処理である。まず、受信可能なチャネルが存在するか否かを判定し（ステップＳ２１）、存在しなければ、そのまま終了し、存在する場合は、そのチャネルを選局し（ステップＳ２２）、ＳＤＴ（ＳｅｒｖｉｃｅＤｅｓｃｒｉｐｔｉｏｎ  Ｔａｂｌｅ）を取得することによりＥＩＴ、つまり、ＥＰＧデータが送出されているか否かを確認する（ステップＳ２３）。ＳＤＴが取得できない場合は、ＥＰＧデータが送出されているものとみなしても、送出されていないものとみなしてもどちらでもよい。
【００３４】
ＥＰＧデータ（番組情報）が送出されていると判断した場合は、システム制御部１５は、ユーザにより指定された１チャネルあたりの取得時間をタイマに設定する（ステップＳ２４）。この後、選局しているチャネルのＥＰＧデータを取得し、選択された番組の種類に対応する情報量の番組情報が取得できたか否か、または、タイマに設定した時間が経過したか否か判断し（ステップＳ２５）、選択された番組の種類に対応する情報量の番組情報が取得できた時、または、タイマに設定した時間が経過した時に、このチャネルのＥＰＧデータの取得を終了する。ＥＰＧデータが送出されていない場合は、すぐに選局されているチャネルに対するＥＰＧデータの取得を終了して、ステップＳ２６に進む。この後、次に選局可能なチャネルが存在するか否かを判断し（ステップＳ２６）、存在する場合は、ステップＳ２２に戻り、ステップＳ２２〜Ｓ２６を繰り返す。全ての選局可能なチャネルについてＥＰＧデータの取得が終了した後は、ＥＰＧデータを取得する処理を行なう前に視聴していたチャネルを選局し、ＥＰＧ画面を表示するといった処理などを行う。
【００３５】
図９は、本発明によるデジタル放送受信装置の一実施形態例におけるチャネルサーチ確認画面の一例を示す図であり、受信可能なチャネルが存在しない場合の画面である。モニタ３の画面に「受信できるチャネルがありません。チャネルサーチを行いますか？」といったユーザに対する表示をして、ユーザにチャネルサーチを行なうかどうか確認し、チャネルサーチの指示、つまり、「はい」という指示があった場合、チャネルサーチを行なった後再び、ＥＰＧ取得設定メニューを表示する。指示が、「いいえ」の場合は、チャネルサーチを行なわずに終了する。
【００３６】
上述した実施形態例では、「時間設定」と「番組情報設定」の２種類を選択できる場合について説明したが、片方のみをＥＰＧ取得設定メニューとして提示することも可能である。また、地上波デジタル放送用の受信装置のみでなく、衛星やケーブルとのデジタル放送共用受信装置においても適用可能である。さらに、番組情報の種類の設定や時間の設定については、他にもいろいろな取得条件の設定が可能である。
【００３７】
【発明の効果】
本発明によれば、ユーザが、地上波デジタル放送の全チャネルの現在の番組情報または当日の番組情報といった送信周期が短い番組の最新情報を知りたい場合は、短時間で、かつ、分り易い操作方法で、番組情報を取得できる。
【図面の簡単な説明】
【図１】本発明によるデジタル放送受信装置の一実施形態例における機能ブロック図である。
【図２】本発明によるデジタル放送受信装置の一実施形態例におけるチャネルサーチ処理を示すフローチャートである。
【図３】本発明によるデジタル放送受信装置の一実施形態例における番組情報取得処理を示すフローチャートである。
【図４】本発明によるデジタル放送受信装置の一実施形態例におけるＥＰＧ取得設定画面の一例を示す図である。
【図５】本発明によるデジタル放送受信装置の一実施形態例における時間設定画面の一例を示す図である。
【図６】本発明によるデジタル放送受信装置の一実施形態例における番組種類設定画面の一例を示す図である。
【図７】本発明によるデジタル放送受信装置の一実施形態例におけるＥＰＧデータ取得画面の一例を示す図である。
【図８】本発明によるデジタル放送受信装置の一実施形態例における番組情報取得処理を示すフローチャートである。
【図９】本発明によるデジタル放送受信装置の一実施形態例におけるチャネルサーチ確認画面の一例を示す図である。
【符号の説明】
１…デジタル放送受信装置、２…地上波アンテナ、３…モニタ、４…リモートコントローラ、１１…地上波デジタル復調部、１２…デマルチプレクサ、１３…チャネル情報取得部、１４…ＡＶデコーダ、１５…システム制御部、１６…グラフィック描画表示部、１７…リモコン受光部、１８…加算器。
【図１】
2004336649.tif 000003
【図２】
2004336649.tif 000004
【図３】
2004336649.tif 000005
【図４】
2004336649.tif 000006
【図５】
2004336649.tif 000007
【図６】
2004336649.tif 000008
【図７】
2004336649.tif 000009
【図８】
2004336649.tif 000010
【図９】
2004336649.tif 000011